(57)【要約】【課題】早期かつ安価に複層階を有する建物を構築することが可能な建物の構築方法を提供する。【解決手段】構築する建物の用地の一部または構築中の建物の一部に、ＰＣａ柱１０を製作する製作ヤードＹ１とＰＣａ柱１０の資材１２を仮置きする仮置きヤードＹ２とを設け、製作ヤードＹ１において製作されたＰＣａ柱１０を利用して製作ヤードＹ１および仮置きヤードＹ２の両方を除いた部分に係る建物の躯体１を構築した後、製作ヤードＹ１と仮置きヤードＹ２に係る部分の建物の躯体１を構築する建物の構築方法。【選択図】図１
2011006843.tif 000002
【特許請求の範囲】
【請求項１】
構築する建物の用地の一部または構築中の建物の一部に、ＰＣａ柱を製作する製作ヤードと前記ＰＣａ柱の資材を仮置きする仮置きヤードとを設け、前記製作ヤードにおいて製作されたＰＣａ柱を利用して前記製作ヤードおよび前記仮置きヤードの両方を除いた部分に係る前記建物の躯体を構築した後、前記製作ヤードと前記仮置きヤードに係る部分の前記建物の躯体を構築することを特徴とする建物の構築方法。
【請求項２】
前記製作ヤードに構築された前記建物の柱、梁、小梁を利用して前記ＰＣａ柱を立てた状態で製作することを特徴とする、請求項１に記載の建物の構築方法。
【請求項３】
前記建物の柱、梁、小梁および床スラブを利用して前記仮置きヤードを設けることを特徴とする、請求項１または請求項２に記載の建物の構築方法。
【発明の詳細な説明】
【技術分野】
【０００１】
本発明は、鉄筋コンクリート製の柱（以下、ＲＣ柱と略する）を有する建物の構築方法に関する。
【背景技術】
【０００２】
ＲＣ柱を有する複層階建物を構築する際には、階層毎にＲＣ柱を現場打ちにより構築し、柱同士の間に梁を架構して、下層階から順次施工していくのが一般的である。
【０００３】
ところが、ＲＣ柱を現場打ち施工により構築するには、型枠の設置、コンクリート打設、養生、型枠の撤去等に手間や時間がかかっていた。
【０００４】
そのため、工期短縮を目的として、仮設Ｈ型鋼入り現場打ちＲＣ柱を利用する工法や、柱にプレキャストコンクリート柱（以下、ＰＣａ柱と略する）を利用する工法（例えば特許文献１参照）が採用される場合がある。
【０００５】
仮設Ｈ型鋼入り現場打ちＲＣ柱を利用した建物の構築方法は、仮設Ｈ型鋼を利用してＲＣ柱や梁の架設やスラブ型枠（デッキ）の形成等を行うことで、早期に所定規模の骨組みを構築し、その後、現場打ちによりＲＣ柱を構築する。その後、スラブを現場打ちにより構築する。
【０００６】
また、ＰＣａ柱を利用した建物の構築方法としては、ＰＣａ柱の製造工場でＰＣａ柱を製造するか、または、現場サイトヤードにおいてＰＣａ柱を製造したのち、このＰＣａ柱を所定の位置に配設して建物を構築していくものであって、ＰＣａ柱の製造と建物の構築とを並行して行うことで工期の短縮を図るものである。
【先行技術文献】
【特許文献】
【０００７】
【特許文献１】特開２００２−３１７４９９号公報
【発明の概要】
【発明が解決しようとする課題】
【０００８】
ところが、仮設Ｈ型鋼を利用する建物の構築方法は、仮設部材としてＨ型鋼を使用するため、費用が嵩む。また、早期に骨組みを構築することが可能であるものの、その後のＲＣ柱の構築等に手間と時間がかかる。
【０００９】
また、ＰＣａ柱を利用する場合は、ＰＣａ柱を製造するためとストックするための広いスペース（ヤード）を確保する必要があり、敷地内や隣接する用地にヤードの確保が困難な場合には採用することができなかった。また、ヤードからのＰＣａ柱の運搬に手間がかかる場合があった。
【００１０】
なお、工場生産により製造されたＰＣａ柱を利用することも可能であるが、この場合には、工場からの製品の提供の可否や納期に制約を受けるとともに、費用が嵩むという問題点を有している。
【００１１】
本発明は、このような問題点を解決するためになされたものであり、早期かつ安価に複層階を有する建物を構築することが可能な建物の構築方法を提供することを課題とする。
【課題を解決するための手段】
【００１２】
前記課題を解決するために、本発明の建物の構築方法は、構築する建物の用地の一部または構築中の建物の一部に、ＰＣａ柱を製作する製作ヤードと前記ＰＣａ柱の資材を仮置きする仮置きヤードとを設け、前記製作ヤードにおいて製作されたＰＣａ柱を利用して前記製作ヤードおよび前記仮置きヤードの両方を除いた部分に係る前記建物の躯体を構築した後、前記製作ヤードと前記仮置きヤードに係る部分の前記建物の躯体を構築することを特徴としている。
【００１３】
かかる建物の構築方法によれば、ＰＣａ柱を利用して建物を構築するため、早期施工が可能である。また、ＰＣａ柱は、建物の構築が予定された用地内または構築中の建物内を利用して製作するため、工場生産と比較して安価であるとともに納期に制約を受けることがない。建物内（用地内）の空間で製造されたＰＣａ柱を使用するため、移動距離が短く、簡易に所定の位置に運搬することができる。
また、建物内の空間または建物用地内に、ＰＣａ柱の鉄筋や型枠等の資材を仮置きするための仮置きヤードを設けることで、限られた敷地を有効に利用することができるとともに、ＰＣａ柱製作時の資材運搬の手間を省略することができる。
【００１４】
なお、製作ヤードと仮置きヤードに係る部分の躯体の構築は、製作ヤードおよび仮置きヤードを縮小しながら行ってもよい。また、製作ヤードおよび仮置きヤードは、１箇所でもよいし複数個所でもよい。さらに、製作ヤードや仮置きヤードは、建物の１階部分に設けてもよいし、地下や上層階に設けてもよい。
【００１５】
また、前記建物の構築方法において、前記製作ヤードに構築された前記建物の柱、梁、小梁を利用して前記ＰＣａ柱を立てた状態で製作すること、前記建物の柱、梁、小梁および床スラブを利用して前記仮置きヤードを設けることができる。
【００１６】
かかる建物の構築方法によれば、ＰＣａ柱を立てた状態で製作するため、製作スペース（製作ヤード）の省スペース化が可能となる。また、ＰＣａ柱の立て打ちの仮設架台等の間接設備を省略することが可能なため、費用の削減が可能である。また、建物の本設躯体（柱、梁、小梁および床スラブ）を利用して仮置きヤードを設けることで、製作ヤードの専用仮設設備を削減できるため、合理的かつ安価に施工を行うことができる。さらに、ＰＣａ柱の鉄筋組立作業も行いやすい。
なお、かかる建物の構築方法の実施は、本設建物の設計段階から、製作ヤードや仮置きヤードを含む施工計画を行うため、合理的な計画と施工を行うことが可能となり、結果として生産性の向上を図ることが可能となる。
【００１７】
また、前記ＰＣａ柱を、建物の骨組み建方用クレーンの旋回範囲内で製作すれば、製作したＰＣａ柱を、直接揚重して所定の位置にて組み立てることができるため、より簡易に施工を行うことができる。
【発明の効果】
【００１８】
本発明の建物の構築方法によれば、早期かつ安価にＲＣ柱を有する複層階を有する建物を構築することが可能となる。
【図面の簡単な説明】
【００１９】
【図１】本発明の好適な実施の形態の建物の構築方法を模式的に示す側面図である。
【図２】図１の建物の構築方法を示す平面図である。
【図３】製作ヤードと仮置きヤードを示す斜視図である。
【図４】製作ヤードおよび仮置きヤードの構築状況を示す斜視図である。
【図５】ＰＣａ柱の製作状況を示す斜視図である。
【図６】第一躯体の構築状況を示す斜視図である。
【図７】第一躯体を示す斜視図である。
【図８】第二躯体の構築状況を示す斜視図である。
【図９】躯体を示す斜視図である。
【発明を実施するための形態】
【００２０】
本発明の好適な実施の形態について、図面を参照して説明する。
本実施形態では、図１に示すように、複数階層からなる建物を本発明の建物の構築方法により構築する場合について説明する。なお、建物の階層数は複数であれば限定されるものではない。
【００２１】
本実施形態に係る建物の構築方法は、図１および図２に示すように、建物を構築する用地Ａまたは構築中の建物の一部に製作ヤードＹ１と仮置きヤードＹ２とを設け、製作ヤードＹ１および仮置きヤードＹ２の両方を除いた部分に係る建物の躯体１（第一躯体２）を構築した後、製作ヤードＹ１および仮置きヤードＹ２を縮小しながら躯体１の残部（第二躯体３）を構築する。なお、躯体１は、製作ヤードＹ１において製作されたＰＣａ柱１０を利用して構築する。
【００２２】
製作ヤードＹ１ではＰＣａ柱１０を製作し、仮置きヤードＹ２にはＰＣａ柱１０の鉄筋等の資材１２の仮置きする。
本実施形態では、第二躯体３の２階部分３ａを構築し、この２階部分３ａを利用して製作ヤードＹ１と仮置きヤードＹ２とを設定している。
【００２３】
ＰＣａ柱１０は、図３に示すように、製作ヤードＹ１に構築された第二躯体３の柱、梁１３、小梁１４を利用して、１階と２階に跨って立てた状態で製作する。
【００２４】
ＰＣａ柱１０の製作ヤードＹ１は、図２に示すように、骨組み建方用クレーンＭ１の旋回範囲内に配置されている。これにより、１回の吊り上げ作業により、製作ヤードＹ１において製作されたＰＣａ柱１０を、第一躯体２の所定の位置に配置することができる。
【００２５】
また、仮置きヤードＹ２は、第二躯体３の柱、梁１３、小梁１４及び床スラブ（フルＰＣａ床版）１１を利用して形成されている。本実施形態では、図１に示すように、ＰＣａ柱１０の生産性を考慮して、第二躯体３の１階部分と２階部分それぞれに資材１２を仮置きする。
【００２６】
以下、建物の構築手順を説明する。
まず、図４に示すように、第二躯体３（躯体１）の２階部分３ａ構築する。このとき、一階の柱を立設するとともに、梁１３および小梁１４を仮設し、さらに仮置きヤードＹ２とすべき領域には、フルＰＣａ床版（床スラブ１１）を敷設する。
なお、２階部分３ａを構築するための資材１２は、所定の個所に仮置きしておく。また、床スラブ１１は、必ずしもフルＰＣａ床版により構成する必要はない。製作ヤードＹ１および仮置きヤードＹ２の一階の柱は、現場打ちＲＣ柱でもよいし、ＰＣａ柱でもよい。
【００２７】
次に、図５に示すように、構築された第二躯体３を製作ヤードＹ１および仮置きヤードＹ２とし、ＰＣａ柱１０の製作を行う。本実施形態では、第一躯体２側に製作ヤードＹ１を設け、第一躯体２の反対側に仮置きヤードＹ２を設けるものとする。なお、製作ヤードＹ１と仮置きヤードＹ２の配置は限定されるものではない。また、梁１３、小梁１４、床スラブ１１等の資材１２は、用地Ａ内の所定の個所に仮置きしておく。
【００２８】
ＰＣａ柱１０は、図３に示すように、第二躯体３の梁１３間に横架された小梁１４を利用することで、縦打ちにより製作する。
ＰＣａ柱１０は、柱梁接合部となる鉄骨１０ａを、第二躯体３の小梁１４，１４に横架させた状態で仮固定し、型枠組み立て、コンクリート打設、養生、脱型を行うことで製作する。なお、本実施形態では、軽量で取り扱い性に優れた木製型枠を使用するが、型枠の構成は限定されるものではない。
【００２９】
製作ヤードＹ１において製作されたＰＣａ柱１０は、そのまま製作ヤードＹ１に立てた状態で保管するものとし、保管されているＰＣａ柱１０に隣接して、新たなＰＣａ柱を製作する。
なお、ＰＣａ柱１０の製作について、必要に応じて蒸気養生等の採暖設備を設置してもよい。つまり、製作ヤードＹ１および仮置きヤードＹ２の設置スペースと、躯体１の建方速度とＰＣａ柱１０の製作速度のバランスに応じて、採暖設備を設置することで、コンクリート打設後の脱型のタイミングを速めることが可能となる。これにより、製作ヤードＹ１および仮置きヤードＹ２の省スペース化や、準備する型枠数量を少なくすることができるため、総合的に費用を削減することが可能となる。
【００３０】
本実施形態では、図１および図２に示すように、ＰＣａ柱製作用の小型移動式クレーンＭ２を利用してＰＣａ柱１０の資材（鉄筋・型枠材等）１２の移動を行うが、資材１２の運搬は、ＰＣａ柱製作用の小型移動式クレーンＭ２に限定されるものではない。なお、骨組み建方用クレーンＭ１を利用してもよいが、費用面からは小型移動式クレーンＭ２を利用する方が合理的な場合が多い。また、門型クレーンを設置しても良いし、定置式小型クレーンを設置しても良い。さらに、全て人力で行っても良い。
また、ポンプ車Ｐの据付箇所も限定されるものではなく、適宜据え付ければよい。本実施形態ではポンプ車Ｐを利用してＰＣａ柱１０のコンクリート打設を行うが、コンクリートの打設装置はポンプ車Ｐに限定されるものではない。
【００３１】
製作ヤードＹ１におけるＰＣａ柱１０の製作と並行して、第一躯体２の構築を行う。なお、第一躯体２の構築は、必ずしもＰＣａ柱１０の製作と並行して行う必要はない。
【００３２】
第一躯体２は、図６および図７に示すように、製作ヤードＹ１にて製作されたＰＣａ柱１０と、外部から搬入した梁（梁１３および小梁１４）と、床スラブ１１と、を利用して構築する。第一躯体２の構築は、中央部から端部に向かって建て逃げにより順次行う。なお、躯体１の構築は、必ずしも中央部から構築する必要はなく、一方端部のから他方の端部に向かって建て逃げにより順次行うなど、施工手順は限定されるものではない。
【００３３】
ＰＣａ柱１０は、製作ヤードＹ１から直接荷揚げして、所定の位置に配置されるため、ＰＣａ柱１０の移動距離が少なく、骨組み建方用クレーンＭ１の小型化や少数化が可能となる。
なお、梁の構成は限定されるものではないが、本実施形態では、Ｈ型鋼を利用する。また、梁および床スラブは、製作ヤードＹ１において製作したＰＣａ部材や、現場打ちコンクリートにより構築されたＲＣ部材であってもよい。
【００３４】
第一躯体２の構築が完了したら、図８に示すように、第二躯体３の構築を行う。
製作ヤードＹ１に保管されたＰＣａ柱１０，１０，…が、第二躯体３の構築作業の邪魔になる場合は、適宜構築中の建物の周囲に仮置きする。
【００３５】
第二躯体３の構築は、図８および図９に示すように、第一躯体２の構築と同様に、建て逃げにより順次行う。本実施形態では、製作ヤードＹ１および仮置きヤードＹ２を縮小しながら第二躯体３を構築する。
【００３６】
以上、本実施形態の建物の構築方法によれば、建て逃げにより順次躯体１を構築するため、敷地が狭くてプレキャスト部材の製作スペースの確保が困難な場合でも効率よく施工を行うことができる。
また、製作ヤードＹ１からＰＣａ柱１０を直接荷揚げして躯体１を構築するため、作業性に優れているとともに、骨組み建方用クレーンＭ１の小型化や数の削減をすることができ、経済的である。
【００３７】
また、構築中の建物内または建物が構築される用地内に、仮置きヤードＹ２を設けるため、用地の確保が困難な場合であっても効率よく施工を行うことができる。
【００３８】
２階部分３ａを利用して縦打ちによりＰＣａ柱１０を製作するため、鉄筋の組み立てや型枠の設置作業を行いやすい。また、第二躯体３を利用することで、縦打ちに必要な仮設架台等を省略することができ、費用を削減することができる。また、鉄筋は、２階部分３ａに形成された仮置きヤードＹ２に仮置きされているため、組み立て時の鉄筋（資材１２）の搬送を容易に行うことができる。
【００３９】
ＰＣａ柱１０を現場にて製作するため、工場生産したＰＣａ柱を搬入する場合と比較して費用を削減できるとともに、搬入時期などによる制約を受けることがない。
また、ＰＣａ柱１０を利用して躯体１を構築することで、現場打ち柱と比較して施工期間と短縮することができる。
【００４０】
先行して構築された床スラブ上または床下の砕石上等で作業を行うことで、ＰＣａ柱１０の製作や躯体１の構築等の良好な作業環境を確保でき、施工効率の向上が可能となる。つまり、作業員の詰所、休憩所、入退場門等から作業場所までの距離を短くすることが可能となり、１日当たりの実労働時間（例えば、８時間労働の場合、準備、休憩、作業場所までの移動時間、材料運搬時間等を８時間から差し引いた時間）を増やすことが可能となり、作業員人数確保の面や生産コストの面で有利となる。
【００４１】
以上、本発明について、好適な実施形態について説明した。しかし、本発明は、前述の各実施形態に限られず、前記の各構成要素については、本発明の趣旨を逸脱しない範囲で、適宜変更が可能であることはいうまでもない。
例えば、前記実施形態では、躯体の２階部分を利用して製作ヤードと仮置きヤードを設定したが、製作ヤードおよび仮置きヤードは、必ずしも躯体の２階部分に設定しなくてもよい。例えば、地下部分や１階部分、または３階以上であってもよい。また、建物が構築される用地の地盤上であってもよい。
【００４２】
また、製作ヤードおよび仮置きヤードは、固定されている必要はなく、工事の進行に伴い、移動してもよい。
また、製作ヤードおよび仮置きヤードは複数個所に設けられていてもよい。
【００４３】
また、前記実施形態では、第一躯体と仮置きヤードとの間に製作ヤードを設けるものとしたが、その配置は限定されるものではない。
【符号の説明】
【００４４】
１    躯体
１０  ＰＣａ柱
１１  床スラブ
１２  資材（鉄筋等）
１３  梁
１４  小梁
Ｙ１  製作ヤード
Ｙ２  仮置きヤード
【図１】
2011006843.tif 000003
【図２】
2011006843.tif 000004
【図３】
2011006843.tif 000005
【図４】
2011006843.tif 000006
【図５】
2011006843.tif 000007
【図６】
2011006843.tif 000008
【図７】
2011006843.tif 000009
【図８】
2011006843.tif 000010
【図９】
2011006843.tif 000011